【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
造影剤が導入された被検体に互いに異なる複数の波長の光を照射することにより発生した光音響波に基づいた、前記複数の波長のそれぞれに対応する光音響信号を用いて生成された画像である、分光画像を取得する分光画像取得手段、
前記造影剤に関する情報を取得する造影剤情報取得手段、
前記造影剤に関する情報に基づいて、前記分光画像中の前記造影剤に対応する領域を決定する領域決定手段、および
前記造影剤に対応する領域と当該領域以外の領域とを識別できるように、前記分光画像を表示させる表示制御手段
を有することを特徴とする画像処理装置。
【請求項２】
前記領域決定手段は、
前記造影剤に関する情報に基づいて、前記分光画像の画像値に対する数値範囲を決定し、
前記数値範囲に含まれる画像値を有する前記分光画像の領域を、前記造影剤に対応する領域として決定する
ことを特徴とする請求項１に記載の画像処理装置。
【請求項３】
前記領域決定手段は、前記造影剤に関する情報に基づいて、色を割り当てる前記分光画像の画像値の数値範囲を決定し、
前記表示制御手段は、前記数値範囲に含まれる前記分光画像の画像値に色を割り当てて前記分光画像を表示させる
ことを特徴とする請求項１に記載の画像処理装置。
【請求項４】
前記造影剤に対応する領域の画像値と、前記造影剤に対応する領域以外の領域の画像値とは、符号が逆である
ことを特徴とする請求項２または３に記載の画像処理装置。
【請求項５】
前記領域決定手段は、前記造影剤に関する情報と前記複数の波長の情報とに基づいて、
前記分光画像中の前記造影剤に対応する領域を決定する
ことを特徴とする請求項１から４のいずれか１項に記載の画像処理装置。
【請求項６】
造影剤が導入された被検体に互いに異なる複数の波長の光を照射することにより発生した光音響波に基づいた分光画像を取得する分光画像取得手段、
前記造影剤に関する情報を取得する造影剤情報取得手段、および
前記造影剤に関する情報に基づいて、前記分光画像の画像値に色を割り当てて前記分光画像を表示させる表示制御手段
を有することを特徴とする画像処理装置。
【請求項７】
前記表示制御手段は、前記分光画像の負値の画像値にも色を割り当てて前記分光画像を表示させる
ことを特徴とする請求項６に記載の画像処理装置。
【請求項８】
前記表示制御手段は、前記造影剤に関する情報と前記複数の波長の情報とに基づいて、前記分光画像の画像値に色を割り当てて前記分光画像を表示させる
ことを特徴とする請求項６または７に記載の画像処理装置。
【請求項９】
前記表示制御手段は、
前記分光画像の画像値と表示色との関係を示すカラースケールを表示させ、
前記造影剤に対応する表示色を識別できるように前記カラースケールを表示させる
ことを特徴とする請求項１から８のいずれか１項に記載の画像処理装置。
【請求項１０】
造影剤が導入された前記被検体に前記複数の波長の光を照射することにより発生した光音響波に基づいて生成された、前記複数の波長にそれぞれ対応する複数の光音響画像を取得する光音響画像取得手段を更に有し、
前記表示制御手段は、
前記複数の光音響画像の一つの光音響画像の画像値に基づいて前記分光画像の明度を決定し、
前記分光画像の画像値に基づいて、前記光音響画像の画像値から明度への変換テーブルを決定する
ことを特徴とする請求項１から９のいずれか１項に記載の画像処理装置。
【請求項１１】
前記造影剤情報取得手段は、前記分光画像に紐づけられた付帯情報から、前記造影剤に関する情報を取得する
ことを特徴とする請求項１から１０のいずれか１項に記載の画像処理装置。
【請求項１２】
前記造影剤に関する情報は、前記造影剤の種類または濃度の情報である
ことを特徴とする請求項１から１１のいずれか１項に記載の画像処理装置。
【請求項１３】
第１波長の光照射により発生した光音響波に基づいた第１光音響画像、および、第２波長の光照射により発生した光音響波に基づいた第２光音響画像を取得する光音響画像取得手段を更に有し、
前記分光画像取得手段は、前記第１光音響画像と前記第２光音響画像との比に基づいた画像を前記分光画像として生成する
ことを特徴とする請求項１から１２のいずれか１項に記載の画像処理装置。
【請求項１４】
第１波長λ１の光照射により発生した光音響波に基づいた計測値をＩλ１（ｒ）とし、第２波長λ２の光照射により発生した光音響波に基づいた計測値をＩλ２（ｒ）とし、第１波長λ１に対応するデオキシヘモグロビンのモラー吸収係数をεＨｂλ１とし、第２波
長λ２に対応するデオキシヘモグロビンのモラー吸収係数をεＨｂλ２とし、第１波長λ１に対応するオキシヘモグロビンのモラー吸収係数をεＨｂＯλ１とし、第２波長λ２に対応するオキシヘモグロビンのモラー吸収係数をεＨｂＯλ２とし、ｒを位置とした場合に、
前記分光画像取得手段は、下記式にしたがって、分光画像の計算値Ｉｓ（ｒ）を生成する
【数１】
2020028389.tif 000001
ことを特徴とする請求項１から１２のいずれか１項に記載の画像処理装置。
【請求項１５】
前記計測値は吸収係数または初期音圧である
ことを特徴とする請求項１４に記載の画像処理装置。
【請求項１６】
前記造影剤は、２．５ｍｇ／ｍＬ以上、１０．０ｍｇ／ｍＬ以下の濃度のＩＣＧであることを特徴とする請求項１から１５のいずれか１項に記載の画像処理装置。
【請求項１７】
前記造影剤情報取得手段は、
ユーザーからの指示に基づいて、前記造影剤に関する情報として前記造影剤の濃度を示す情報を取得し、
前記造影剤に関する情報として前記造影剤の種類がＩＣＧであることを示す情報を取得した場合に、２．５ｍｇ／ｍＬより小さい、または、１０．０ｍｇ／ｍＬより大きいＩＣＧの濃度を示すユーザーからの指示を受け付けないように構成されている
ことを特徴とする請求項１から１６のいずれか１項に記載の画像処理装置。
【請求項１８】
前記複数の波長が、第１波長として７９７ｎｍ、第２波長として８３５ｎｍを含む
ことを特徴とする請求項１６または１７に記載の画像処理装置。
【請求項１９】
前記表示制御手段は、時系列に生成された複数の分光画像を動画像として表示させる
ことを特徴とする請求項１から１８のいずれか１項に記載の画像処理装置。
【請求項２０】
前記表示制御手段は、前記動画像を早送り表示可能である
ことを特徴とする請求項１９に記載の画像処理装置。
【請求項２１】
前記表示制御手段は、前記動画像を繰り返し表示可能である
ことを特徴とする請求項１９または２０に記載の画像処理装置。
【請求項２２】
造影剤が導入された被検体に互いに異なる複数の波長の光を照射することにより発生した光音響波に基づいた、前記複数の波長のそれぞれに対応する光音響信号を用いて生成された画像である、分光画像を取得し、
前記造影剤に関する情報を取得し、
前記造影剤に関する情報に基づいて、前記分光画像中の前記造影剤に対応する領域を決定し、
前記造影剤に対応する領域と当該領域以外の領域とを識別できるように、前記分光画像を表示させる
ことを特徴とする画像処理方法。
【請求項２３】
造影剤が導入された被検体に互いに異なる複数の波長の光を照射することにより発生した光音響波に基づいた、前記複数の波長のそれぞれに対応する光音響信号を用いて生成された画像である、分光画像を取得し、
前記造影剤に関する情報を取得し、
前記造影剤に関する情報に基づいて、前記分光画像の画像値に色を割り当てて前記分光画像を表示させる
ことを特徴とする画像処理方法。
【請求項２４】
前記造影剤がＩＣＧであり、前記複数の波長が、第１波長として７９７ｎｍ、第２波長として８３５ｎｍを含む
ことを特徴とする請求項２２または２３に記載の画像処理方法。
【請求項２５】
請求項２２〜２４のいずれか１項に記載の画像処理方法をコンピュータに実行させるためのプログラム。
【請求項２６】
造影剤が導入された被検体に互いに異なる複数の波長の光を照射することにより発生した光音響波に基づいた、前記複数の波長のそれぞれに対応する光音響信号を用いて生成された分光画像を取得する分光画像取得手段、
前記造影剤に関する情報に基づいて、前記分光画像中の前記造影剤に対応する領域を決定する領域決定手段、および
前記造影剤に対応する領域と当該領域以外の領域とを識別できるように、前記分光画像を表示させる表示制御手段
を有することを特徴とする画像処理装置。
【請求項２７】
前記造影剤に関する情報を取得する造影剤情報取得手段を有する
ことを特徴とする請求項２６に記載の画像処理装置。
【請求項２８】
前記造影剤情報取得手段は、前記被検体の検査オーダー情報から前記造影剤に関する情報を取得する
ことを特徴とする請求項１に記載の画像処理装置。
【請求項２９】
前記表示制御手段は、前記造影剤に対応する領域と血管の領域とを識別できるように、前記分光画像を表示させる
ことを特徴とする請求項１に記載の画像処理装置。